(57)【要約】【課題】  本発明は、新規な反射鏡を提供することを目的とする。【解決手段】  本発明の反射鏡において、鏡１〜４は、平面鏡である。鏡１〜４は、それぞれ両面が鏡（両面鏡）になっている。鏡１〜４は、それぞれ長方形の形状になっている。ただし、形状はこの長方形に限定されない。鏡１〜４の幅は、映したい姿、物などの幅の半分であればよい。ただし、余裕を持ってこれ以上の幅とすることもできる。鏡１〜４の高さ方向の長さは、映したい姿、物などの高さ方向の長さの半分であればよい。ただし、余裕を持ってこれ以上の長さとすることもできる。鏡１〜４は、互いに隣り合う鏡と直角をなしている。支持体５は、鏡１〜４を支えるものである。支持体５の形状、材質は、鏡１〜４を支えることができるものであれば特に限定されるものではない。【選択図】        図１
2007061458.tif 000002
【特許請求の範囲】
【請求項１】
２枚以上の鏡を有し、
上記鏡が互いに直角をなしている反射鏡。
【発明の詳細な説明】
【技術分野】
【０００１】
本発明は、反射鏡に関する。
【背景技術】
【０００２】
人は、平面鏡に自分の姿を映すことができる。
【発明の開示】
【発明が解決しようとする課題】
【０００３】
しかし、自分の姿を映すためには、鏡の真正面に立つ必要があった。また、立っている位置を変えるときは、鏡の向きを変える必要があった。また、人が連続して移動しているときは、連続的に姿を写すことは非常に困難であった。大面積の鏡を用いれば、これも可能であるが、コスト、技術的にも困難であった。
これらのことから、いずれの方角からも姿を映すことができる反射鏡の開発が望まれていた。
【０００４】
本発明は、このような課題に鑑みてなされたものであり、新規な反射鏡を提供することを目的とする。
【課題を解決するための手段】
【０００５】
上記課題を解決し、本発明の目的を達成するため、本発明の反射鏡は、２枚以上の鏡を有し、これらの鏡が互いに直角をなしている。
【発明の効果】
【０００６】
本発明は、以下に記載されるような効果を奏する。
本発明は、２枚以上の鏡を有し、これらの鏡が互いに直角をなしているので、新規な反射鏡を提供することができる。
【発明を実施するための最良の形態】
【０００７】
以下、反射鏡にかかる発明を実施するための最良の形態について説明する。
図１は、本発明の反射鏡の一例を示す斜視図である。鏡１〜４は、平面鏡である。鏡１〜４は、それぞれ両面が鏡（両面鏡）になっている。
【０００８】
鏡１〜４は、それぞれ長方形の形状になっている。ただし、形状はこの長方形に限定されない。形状は、正方形、円形、楕円形、その他自由な形状とすることができる。
【０００９】
鏡１〜４の幅は、映したい姿、物などの幅の半分であればよい。鏡に映った虚像を見るためには、鏡の幅が虚像の幅の半分であればよいからである。ただし、余裕を持ってこれ以上の幅とすることもできる。
【００１０】
鏡１〜４の高さ方向の長さは、映したい姿、物などの高さ方向の長さの半分であればよい。鏡に映った虚像を見るには、鏡の高さ方向の長さが虚像の高さ方向の長さの半分であればよいからである。ただし、余裕を持ってこれ以上の長さとすることもできる。
【００１１】
鏡１〜４は、互いに隣り合う鏡と直角をなしている。
【００１２】
鏡１〜４の材料は、次のようなものがある。片面に金属膜を形成した２枚のガラス板を、金属膜同士を内側にして重ね合わせたもの、２枚のガラス板の間に金属膜を形成したもの、片面を鏡面にした２枚の金属板を、鏡面が外側になるように重ね合わせたもの、１枚の金属板の両面を鏡面にしたものなどがある。これら４枚の鏡を、それぞれが直角になるようにして組み立てる。
【００１３】
また、１枚の金属板の片面を鏡面にし、これを直角に折り曲げ、鏡面でない面同士を重ね合わせたもの、２枚の両面鏡（ガラス板製、金属板製など）の中央に切り欠きを設け、これらの両面鏡を十文字になるように組み合わせたものなどがある。
【００１４】
支持体５は、鏡１〜４を支えるものである。支持体５の形状、材質は、鏡１〜４を支えることができるものであれば特に限定されるものではない。支持体５は、図１に示すような、鏡１〜４を下から支えるものに限定されない。このほか、鏡１〜４を上からぶら下げて支持するものであってもよい。また、支持体５は存在しなくもよい。鏡１〜４が壁などに直接固定されていてもよい。要するに、鏡１〜４が固定されていれば、支持体の有無、支持方法のいかんを問わない。また、支持体が移動するものに固定されていてもよい。これによれば、鏡１〜４を移動させることができる。
【００１５】
図２は、本発明の反射鏡における、像の映り方を示す概念図である。物体Ａは、鏡１と鏡２の間に存在する。鏡１と鏡２に対する、物体Ａの映り方の一例を説明する。鏡２により虚像Ａ１が形成される。つぎに、鏡１により虚像Ａ２が形成される。この結果、物体Ａは、鏡１と鏡２の交点を対称に虚像Ａ２が形成される。
【００１６】
したがって、物体Ａが鏡１（またはその延長線上）と鏡２（またはその延長線上）で挟まれる領域内を移動しても、物体Ａは、鏡１と鏡２の交点を対称に虚像Ａ２が形成されることになる。この結果、物体Ａが人である場合、この人は領域内を移動しても常に自分を見ることができる。
【００１７】
この人が上述の領域を出たとしても、他の領域において同様に自分自身を見ることができる。したがって、この人は、あらゆる方向から自分自身を見ることができる。この結果、従来のように、自分自身の姿を見るために、鏡の真正面に立ったりとか、複数の鏡を用意したりとか、鏡の向きを変えたりするといったわずらわしさがなくなる。
【００１８】
また、虚像Ａ２は、物体Ａに対して鏡の交点の対称の位置に常に形成される。このため、鏡の幅が狭くてもすむことになり、経済的であるとともに反射鏡をコンパクトにすることができる。
【００１９】
虚像Ａ２は、図２に示すように、実像Ａに対して左右が逆転している。従来は、鏡に映る虚像は実際の姿と左右が同じ向きであり、人は自分の実際の姿と左右が逆の姿を見ていた。これに対して本発明の反射鏡では、虚像Ａ２を見る人は、自分の実際の姿を見ることができる。
【００２０】
上下方向は、逆転することなく見ることができる。
【００２１】
見る人が、鏡１〜４のいずれかの真正面に立った場合、従来の鏡と同じ虚像を見ることができる。たとえば図２のように、鏡２の真正面に立ち鏡２を見れば、虚像Ａ１を見ることができる。この結果、虚像Ａ２とＡ１を同時に見ることができる。これにより、虚像Ａ１と虚像Ａ２の比較対照をすることができる。
【００２２】
本発明の反射鏡は、次のような場合に用いることができる。
運動競技における、自分自身のフォームを確認することができる。たとえば、野球のバッティング、テニスや卓球などのスイングなどである。これにより、自分自身のフォームを実際の姿で確認でき、フォームの変更、改良、維持などができる。
【００２３】
移動中の自分自身のフォームを確認することができる。たとえば、競走、ランニング、テニス、卓球などの運動時のフォームを見ることができる。また、ダンス、演劇の練習などにおける、自分自身の姿を見ることができる。従来、自分が移動しているとき、自分自身を見るためには、大きな鏡を使ったり、鏡の向きを変えたりする必要があった。これに対して、本発明の反射鏡を用いれば、自分自身が移動しても、反射鏡を見れば常に自分自身の姿を見ることができる。複数の反射鏡を、異なる位置に置けば自分自身をいろいろな方向から見ることができる。
【００２４】
多数の人が同時に自分自身の姿を見ることができる。化粧室、楽屋、駅のプラットホームなどに、本発明の反射鏡を設置すれば、反射鏡の周りに多数の人がいても、各自が自分の姿を見ることができる。これにより、スペースの節約、鏡の個数の節約などができる。
なお、本発明の反射鏡の適用例は、上述のものに限定されない。
【００２５】
図１の例では、鏡を４枚用いた。鏡は４枚である必要はない。鏡は２枚以上あればよい。
鏡を２枚とすることができる。２枚の鏡を直角にし、部屋の隅などに固定することができる。これにより、部屋の中を移動しても自分自身の姿を見ることができる。この場合は、鏡を両面鏡にする必要はなく、片面だけを鏡にすればよい。
【００２６】
鏡を３枚にすることができる。隣り合う鏡をそれぞれ直角にする。両端の鏡は片面だけを鏡にすればよい。中央の鏡は両面鏡にする。この反射鏡を壁などに固定することができる。これにより、１８０度の範囲で移動しても、常に自分自身を見ることができる。
【００２７】
図１の反射鏡については、さらに鏡を追加することができる。たとえば１枚の大きな片面鏡を、鏡面を下側にして鏡１〜４の上端に設置したり、鏡面を上側にして鏡１〜４の下端に設置したりすることができる。また、４枚の両面鏡を鏡１〜４の隣り合い鏡の間に水平に設置することができる。４枚の両面鏡は、鏡１〜４の高さ方向の中間に設置する。これらによれば、水平方向だけでなく高さ方向に移動しても自分自身の姿を見ることができる。
【００２８】
以上のことから、本発明を実施するための最良の形態によれば、２枚以上の鏡を有し、これらの鏡が互いに直角をなしているので、新規な反射鏡を提供することができる。
【００２９】
なお、本発明は上述の発明を実施するための最良の形態に限らず本発明の要旨を逸脱することなくその他種々の構成を採り得ることはもちろんである。
【図面の簡単な説明】
【００３０】
【図１】本発明の反射鏡の一例を示す斜視図
【図２】反射鏡における、像の映り方を示す概念図である。
【符号の説明】
【００３１】
１，２，３，４‥‥鏡、５‥‥支持体
【図１】
2007061458.tif 000003
【図２】
2007061458.tif 000004